(57)【要約】  【課題】  放熱板の抹消を図ることができ、構造を簡単化でき、コストダウンを図れると共に省スペース化を図れ、半導体等の発熱部品にビス止めされたＶＣＲデッキの金属部が放熱板より面積が広くて十分な放熱効果を発揮することができる。【解決手段】  ＶＣＲデッキ１の金属製の縦壁部１ｂに、半導体等の発熱部品３に設けられたビス止め用穴３ａの位置と高さに合わせてビス止め用穴１ｃが形成され、基板２に実装された半導体等の発熱部品３のビス止め用穴３ａとＶＣＲデッキ１の縦壁部１ｂのビス止め用穴１ｃにビス４が螺入されることにより、半導体等の発熱部品３とＶＣＲデッキ１の縦壁部１ｂとがビス４で取り付け固定され、半導体等の発熱部品３からの発熱をＶＣＲデッキ１で放熱するようにした。【選択図】  図１
2008294023.tif 000002
【特許請求の範囲】
【請求項１】
ＶＣＲデッキの下側に配置された基板に実装された半導体等の発熱部品からの発熱を放熱するようにした発熱部品の放熱構造において、前記ＶＣＲデッキの金属製の縦壁部に、前記半導体等の発熱部品に設けられたビス止め用穴の位置と高さに合わせてビス止め用穴が形成され、前記基板に実装された半導体等の発熱部品のビス止め用穴と前記ＶＣＲデッキの縦壁部の前記ビス止め用穴にビスが螺入されることにより、前記半導体等の発熱部品と前記ＶＣＲデッキの縦壁部とがビスで取り付け固定され、前記半導体等の発熱部品からの発熱を前記ＶＣＲデッキで放熱するようにしたことを特徴とする発熱部品の放熱構造。
【請求項２】
前記半導体等の発熱部品と前記ＶＣＲデッキの縦壁部との当接面間に熱伝導率の高い放熱グリスが塗布されている請求項１に記載の発熱部品の放熱構造。
【発明の詳細な説明】
【技術分野】
【０００１】
本発明は、ＶＣＲデッキの下側に配置された基板に実装された半導体等の発熱部品からの発熱を放熱するようにした発熱部品の放熱構造に関するものである。
【背景技術】
【０００２】
従来、ＶＣＲデッキの下側に配置された基板に実装された半導体等の発熱部品からの発熱を放熱するには、この半導体等の発熱部品に放熱板を取り付けて、この放熱板によって半導体等の発熱部品の発熱を放熱していた。
【０００３】
ところが、半導体等の発熱部品に放熱板を取り付けていたために、部品点数が多くなりコスト高になると共に基板上のスペースを多くとるために基板設計において不利であるという問題があった。また、ＶＣＲデッキは金属製であるが放熱効果は狙っていなかった。
【０００４】
第１の従来技術を図４に示す。この従来の電子制御装置は、図４に示しように、放熱部材により構成された金属ケース１０１と、金属ケース１０１に接着されている基板１０３と、基板１０３にはんだ１０８を介して接続された高発熱電子部品１０５とを有する電子製御装置であって、基板１０３には、サーマルビア１０７が形成されており、サーマルビア１０７の内部には、複数の金属ボール１１０が設けられており、高発熱電子部品１０５から発生された熱を、基板１０３及び金属ケース１０１を介して外部に放出するように構成されている。（例えば、特許文献１参照）。
【０００５】
ところが、高発熱電子部品１０５から発熱された熱を放熱するために、サーマルビア１０７と金属ボール１１０を使用していたために、部品点数が多く、構造が複雑であると共にコスト高になるという問題があった。
【０００６】
第２の従来技術を図５、図６に示す。この従来の電源装置は、図５、図６に示すように、トランス２１４、整流回路２１５などを組込んだ主プリント基板２１７にスイッチング用トランジスタを取付けたヒートシンク２１６を取付け、このヒートシンク２１６の上端部に各種電子部品を組込んで制御回路を構成する補助プリント基板２２０を位置決めする係合段部２１８を設け、主プリント基板２１７および補助プリント基板２２０を収納する絶縁体よりなるケース２０９の内壁に、ヒートシンク２１６との間で補助プリント基板２２０を挟持する保持リブ２１９を設けている。（例えば、特許文献２参照）。
【０００７】
ところが、これにおいては、スイッチング用トランジスタの放熱のためにヒートシンク２１６を使用していたために、部品点数が多くなり、構造が複雑であると共にコスト高になるという問題があった。
【特許文献１】特開２００７−１９３５５号公報
【特許文献２】実開昭６２−２３７９号公報
【発明の開示】
【発明が解決しようとする課題】
【０００８】
本発明は、上記従来の問題に鑑みてなされたものであって、ＶＣＲデッキの金属部を半導体等の発熱部品の放熱に利用することにより、放熱板の抹消を図ることができ、構造を簡単化でき、コストダウンを図れると共に省スペース化を図れ、更に、ＶＣＲデッキの金属部が放熱板より面積が広くて十分な放熱効果を発揮することができる発熱部品の放熱構造を提供することを目的としている。
【課題を解決するための手段】
【０００９】
本発明は、上記課題を解決するために提案されたものであって、請求項１に記載の発明は、ＶＣＲデッキの下側に配置された基板に実装された半導体等の発熱部品からの発熱を放熱するようにした発熱部品の放熱構造において、前記ＶＣＲデッキの金属製の縦壁部に、前記半導体等の発熱部品に設けられたビス止め用穴の位置と高さに合わせてビス止め用穴が形成され、前記基板に実装された半導体等の発熱部品のビス止め用穴と前記ＶＣＲデッキの縦壁部の前記ビス止め用穴にビスが螺入されることにより、前記半導体等の発熱部品と前記ＶＣＲデッキの縦壁部とがビスで取り付け固定され、前記半導体等の発熱部品からの発熱を前記ＶＣＲデッキで放熱するようにしたことを特徴としている。
【００１０】
請求項２に記載の発明は、請求項１に記載の発明において、前記半導体等の発熱部品と前記ＶＣＲデッキの縦壁部との当接面間に熱伝導率の高い放熱グリスが塗布されている。
【発明の効果】
【００１１】
請求項１に記載の発明によれば、基板に実装された半導体等の発熱部品をＶＣＲデッキの金属製の縦壁部にビス止めして、半導体等の発熱部品の発熱をＶＣＲデッキの金属部で放熱できるから、放熱板の抹消を図ることができ、しかも構造を簡単化でき、コストダウンを図れると共に省スペース化を図ることができる。更に、ＶＣＲの金属部が通常の放熱板より面積が広くて十分な放熱効果を発揮することができる。
【００１２】
請求項２に記載の発明によれば、半導体等の発熱部品とＶＣＲデッキの縦壁部との当接面間に熱伝導率の高い放熱グリスが塗布されているから、半導体等の発熱部品とＶＣＲデッキの縦壁部を密着させることができることにより、より一層の放熱効果を発揮することができる。
【発明を実施するための最良の形態】
【００１３】
以下、本発明に係る発熱部品の放熱構造の実施の形態について、図を参照しつつ説明する。
【００１４】
図１は本発明の第１実施形態の発熱部品の放熱構造を示す概略側面図、図２は図１の概略平面図である。
【００１５】
この第１実施形態の発熱部品の放熱構造は、図１、図２に示すように、ＶＣＲデッキ１の下側に基板２が配置され、この基板２には半導体等の発熱部品３が実装されている。ＶＣＲデッキ１は基板２上に足部１ａが当接されており、このＶＣＲデッキ１の金属製の縦壁部１ｂには、半導体等の発熱部品３に設けられたビス止め用穴３ａの位置と高さに合わせてビス止め用穴１ｃが形成されている。
【００１６】
半導体等の発熱部品３を基板１に実装し、ＶＣＲデッキ１の取り付けの際に半導体等の発熱部品３をＶＣＲデッキ１の金属製の縦壁部１ｂに当接し、半導体等の発熱部品３のビス止め用穴３ａとＶＣＲデッキ１の金属製の縦壁部１ｂのビス止め用穴１ｃにビス４を螺入して、ＶＣＲデッキ１の金属製の縦壁部１ｂに半導体等の発熱部品１ｃを取付固定する。
【００１７】
従って、この第１実施形態によれば、基板２に実装された半導体等の発熱部品３をＶＣＲデッキ１の金属製の縦壁部１ｂにビス４止めして、半導体等の発熱部品３の発熱をＶＣＲデッキ１の金属部で放熱できるから、放熱板の抹消を図ることができ、しかも構造を簡単化でき、コストダウンを図れると共に省スペース化を図ることができる。更に、ＶＣＲの金属部が通常の放熱板より面積が広くて十分な放熱効果を発揮することができる。
【００１８】
図３は第２実施形態の発熱部品の放熱構造を示す概略側面図である。
【００１９】
この第２実施形態の発熱部品の放熱構造は、図３に示すように、半導体等の発熱部品３とＶＣＲデッキ１の金属製の縦壁部１ｂとの当接面間に熱伝導率の高い放熱グリス５が塗布されている。
【００２０】
従って、この第２実施形態によれば、半導体等の発熱部品３とＶＣＲデッキ１の縦壁部１ｂとの当接面間に熱伝導率の高い放熱グリス５が塗布されているから、半導体等の発熱部品３とＶＣＲデッキ１の縦壁部１ｂを密着させることができることにより、より一層の放熱効果を発揮することができる。
【図面の簡単な説明】
【００２１】
【図１】本発明の第１実施形態の発熱部品の放熱構造を示す概略側面図である。
【図２】図１の概略平面図である。
【図３】第２実施形態の発熱部品の放熱構造を示す概略側面図である。
【図４】従来の電子制御装置を示す断面図である。
【図５】従来の電源装置の斜視図である。
【図６】同装置の部分斜視図である。
【符号の説明】
【００２２】
１        ＶＣＲデッキ
１ａ      足部
１ｂ      金属製の縦壁部
１ｃ      ビス止め用穴
２        基板
３        半導体等の発熱部品
３ａ      ビス止め用穴
４        ビス
５        放熱グリス
【図１】
2008294023.tif 000003
【図２】
2008294023.tif 000004
【図３】
2008294023.tif 000005
【図４】
2008294023.tif 000006
【図５】
2008294023.tif 000007
【図６】
2008294023.tif 000008